【事件の表示】
　平成　１年特許願第３２８９９２号「携帯情報処理装置」拒絶査定に対する審判事件［平成　３年　８月１６日出願公開、特開平　３−１８８７７３］について、次のとおり審決する。
【結　論】
　本件審判の請求は、成り立たない。
【理　由】
　１　本件発明
　本願は、平成１年１２月１９日の出願であって、その発明（以下「本件発明」という。）は、補正された明細書及び図面の記載からみて、特許請求の範囲（請求項の数２）の請求項１に記載された次に掲げるとおりのものである。
　【本件発明】
　入力画像を撮像して得た撮像光を光電変換して画像信号を出力する撮像手段と、
　前記撮像手段からの出力をディジタル信号に変換するＡ／Ｄ変換手段と、
　前記Ａ／Ｄ変換手段から出力される画像データを画像メモ情報として記憶するメモリ手段と、
　前記メモリ手段に前記画像メモ情報とは関連しない所望の電子データを記録する入力部と、
　前記メモリ手段に記憶された前記画像メモ情報と前記所望の電子データを与えられた指令に基づいて可視出力する表示手段と、
　前記メモリ手段に記憶された前記画像メモ情報と前記所望の電子データを外部機器に転送するため共通に用いられる外部インターフェース手段
　と備えることを特徴とする携帯情報処理装置
　
　２　刊行物１、２の発明
　これに対して、原審の拒絶理由に引用された、本願の出願の日前の昭和６２年３月１９日に頒布された特開昭６２−６２６７４号公報には、次に掲げる(１)ないし(４)の事項からなる電子カメラ（以下「刊行物１の発明」という。）が記載されている。
　【刊行物１の発明】
　(１)記録手段に固体メモリを用いた電子カメラ（２頁右上欄１２行ないし１３行）
　(２)撮像部１において、３はレンズ、４はレンズ３からの光像を結像され電気信号に変換して画像信号とする撮像素子で、（中略）６はＡ／Ｄコンバーター、７はＡ／Ｄコンバーターからのディジタル化された画像信号の１フレーム期間を記憶するフレームメモリである。（中略）１０はモニターで、画像信号を可視像として表示する。
　１１は第２の切換えスイッチで、接点ａを“オン”としたときは、撮像素子４で撮像された信号処理回路５を介してつぎつぎと送られにくる“生”の画像信号をモニター１０に送り表示するようにする。このときはモニター１０はカメラのファインダーの機能を果たす。
　一方、接点ｂを“オン”としたときは、フレームメモリ７の画像信号はＤ／Ａコンバーター９を介してモニター１０に送り込まれ、モニター１０上に表示される。（２頁左下欄下から２行ないし３頁左上欄１１行）
　(３)画像信号とともに音声信号も記録できるようになっている。（５頁右上欄１４行ないし１５行）
　(４)第８図は第４の実施例のブロック図、第９図は外観図であり、同一番号の付されている部分は他の実施例と同一であるから説明を省略する。（中略）電話伝送部３５には、データ入出力用のターミナル４３が設けてあり、伝送信号処理回路４４を介してフレームメモリ７を制御し、フレームメモリ７内の画像信号のデータを出力させることができる。この部分４３は一般的なマイコンターミナルでもよく、公知の方法でマイコン用ディスプレー、プリンターおよびディスクメモリなどと結合しうる。（５頁左下欄下から３行ないし同頁右下欄１４行）
　
　同じく原審の拒絶査定に引用された、本願の出願の日前の昭和６３年７月１３日に頒布された特開昭６３−１６９８８６号公報には、次に掲げる(１)ないし(４)の事項からなるディジタル電子カメラ（以下「刊行物２の発明」という。）が記載されている。
　【刊行物２の発明】
　(１)固体メモリに上記画像データと共にその画像データとは異なるその固体メモリ個別のメモリデータを記録する手段を有することを特徴とするディジタル電子カメラ（１頁左下欄９行ないし１３行）
　(２)更に旅行先での簡単なメモ（例えば出費金額等）等のメモ情報データなどがある。そして本発明において特徴的な事は、上記各種のデータを画像情報を記録するためのカメラと同一のカメラ内で、更に画像情報と記録する固体メモリと同一の固体メモリに記録することである。（２頁右下欄１４行ないし末行）
　(３)固体メモリ１０をカメラ本体２に装填した後に手動データ入力装置１４によって入力される。（４頁右上欄５行ないし７行）
　(４)このようにして画像データと共に記録されたメモリデータ及び各種の任意データは画像情報を再生する画像再生装置において、表示あるいは記録される画像と共にあるいはこれと独立して任意に表示あるいは記録されるか、あるいは再生画像の処理のためのデータとして用いられる。（４頁右下欄２行ないし８行）
　
　３　刊行物１の発明と本件発明との対比・検討
　そこで、刊行物１の発明における事項と本件発明における事項とを対比・検討すると、次に掲げる(１)から(５)の事項がそれぞれ相当ないしは対応する。
　(１)刊行物１の発明における「撮像素子４」は、光像を結像され電気信号に変換して画像信号とするから、本件発明における「撮像手段(16)」に相当する。
　(２)刊行物１の発明における「Ａ／Ｄコンバーター６」は、画像信号をディジタル化しているから、本件発明における「Ａ／Ｄ変換手段(28)」に相当する。
　(３)刊行物１の発明における「フレームメモリ７」は、ディジタル化された画像信号を記憶するから、本件発明における「メモリ手段(30)」に対応する。
　(４)刊行物１の発明における「モニター１０」は、第２の切換えスイッチ１１によって、フレームメモリ７の画像信号を表示しているから、本件発明における「表示手段(36)」に対応する。
　(５)刊行物１の発明における「データ入出力用のターミナル４３」は、フレームメモリ７内の画像信号のデータを出力させることができるから、本件発明における「外部インターフェース手段(34)」に対応する。
　(６)刊行物１の発明は電子カメラであり、本件発明は携帯情報処理装置であるが、本願明細書及び図面の記載からみると、本件発明の一実施例は電子カメラに関するものであるから、刊行物１の発明である電子カメラは携帯情報処理装置に相当する。
　
　４　刊行物１の発明と本件発明との一致点・相違点
　上記３の対比・検討から刊行物1の発明と本件発明とは、次に掲げる点で一致し、下記(１)(２)の点で相違する。
　【一致点】
　入力画像を撮像して得た撮像光を光電変換して画像信号を出力する撮像手段と、
　前記撮像手段からの出力をディジタル信号に変換するＡ／Ｄ変換手段と、
　前記Ａ／Ｄ変換手段から出力される画像データを画像情報として記憶するメモリ手段と、
　前記メモリ手段に記憶された前記画像情報を与えられた指令に基づいて可視出力する表示手段と、
　前記メモリ手段に記憶された前記画像情報を外部機器に転送する外部インターフェース手段
　と備えることを特徴とする携帯情報処理装置
　【相違点】
　(１)上記「携帯情報処理装置」において、本件発明は「メモリ手段に画像メモ情報とは関連しない所望の電子データを記録する入力部(40)」を備え、「表示手段」が所望の電子データをも表示し、画像情報を転送する「外部インターフェース手段」を共通に用いて所望の電子データをも転送するのに対して、刊行物1の発明においては上記入力部(40)備えていないために、所望の電子データを、表示したり外部に転送していない点
　(２)上記「画像情報」を、本件発明においては「画像メモ情報」としているのに対して、刊行物１の発明においては、このようにしていない点
　
　５　上記相違点(１)(２)についての検討
　(１)電子カメラにおいて、画像情報とは関連しない所望の電子データ（出費金額等のメモ情報データ）を入力する手動データ入力装置１４を設け、その電子データを、画像情報が記録されている固体メモリに記録すると共に、画像情報と共に表示するものが上記刊行物２の発明に示され、また、刊行物１の発明において音声信号をもフレームメモリに記録させ、フレームメモリのデータを外部に転送（音声信号をも転送）しているといえるから、同じ電子カメラである刊行物１の発明において、刊行物２の発明における「手動データ入力装置」を備えさせ、「表示手段」に所望の電子データをも表示させ、画像情報を転送する「外部インターフェース手段」を共通に用いて所望の電子データをも転送させることは、当業者であれば、容易になし得ることと認められる。
　したがって、「携帯情報処理装置」において、「メモリ手段に画像メモ情報とは関連しない所望の電子データを記録する入力部」を備えさせ、「表示手段」に所望の電子データをも表示させ、画像情報を転送する「外部インターフェース手段」を共通に用いて所望の電子データをも転送させることは、当業者であれば、容易になし得ることである。
　(２)本件発明において、画像情報は、例えば、画像として報告書等にはめ込まれるから、この画像情報を「画像メモ情報」としている。
　そして、この「画像メモ情報」とは、画像情報の利用形態として種々あるなかの１つとして「メモ」として用いるから、「画像メモ情報」と称しているに過ぎない。
　したがって、刊行物１の発明における「画像情報」を、その利用形態を考慮して「画像メモ情報」と表現することは、当業者が、必要に応じて、適宜なし得ることである。
　
　６　むすび
　以上のとおり、本件発明は、刊行物１の発明に基いて、当業者が容易に発明をすることができたものであるから、特許法２９条２項の規定により特許を受けることができない。
　よって、結論のとおり審決する。